(57)【要約】【課題】データ取得後短時間で、かつ複雑な処理を必要とすることなく光源の光量の変化もしくは異常を検知する。【解決手段】読み取り光学系により読み取られ、ＣＣＤ１９によって取得された原稿のアナログ画像データを処理するアナログ処理回路部２０と、アナログ処理回路部２０によって処理されたアナログ画像データをディジタル画像データに変換するＡ／Ｄ変換回路部２１とを備えた画像読み取り装置において、原稿の余白部分読み取り時における読み取り対象の画素のＡ／Ｄ変換回路部２１からの出力データの状態、例えば最上位ビットの画素データが「０」か「１」かということに基づいて原稿を照明する光源の光量の変化、又は光源の異常を検知する。【選択図】図３
2010011308.tif 000002
【特許請求の範囲】
【請求項１】
読み取り光学系により読み取られ、光電変換素子によって取得された原稿のアナログ画像データを処理するアナログ処理手段と、
前記アナログ処理手段によって処理されたアナログ画像データをディジタル画像データに変換するＡ／Ｄ変換手段と、
を備えた画像読み取り装置において、
前記原稿の余白部分読み取り時における読み取り対象の画素の前記Ａ／Ｄ変換手段からの出力データに基づいて前記原稿を照明する光源の光量の変化を検知する検知手段を備えていることを特徴とする画像読み取り装置。
【請求項２】
読み取り光学系により読み取られ、光電変換素子によって取得された原稿のアナログ画像データを処理するアナログ処理手段と、
前記アナログ処理手段によって処理されたアナログ画像データをディジタル画像データに変換するＡ／Ｄ変換手段と、
を備えた画像読み取り装置において、
前記原稿の読み取り前に読み取られる基準白板読み取り時における読み取り対象の画素の前記Ａ／Ｄ変換手段からの出力データに基づいて前記原稿を照明する光源の光量の変化を検知する検知手段を備えていることを特徴とする画像読み取り装置。
【請求項３】
請求項１又は２に記載の画像読み取り装置において、
前記出力データが最上位ビットの状態であることを特徴とする画像読み取り装置。
【請求項４】
請求項１又は２に記載の画像読み取り装置において、
前記出力データが複数ビットの状態の組み合わせであることを特徴とする画像読み取り装置。
【請求項５】
請求項１又は２に記載の画像読み取り装置において、
前記出力データが複数ライン読み取り時のビットの状態であることを特徴とする画像読み取り装置。
【請求項６】
請求項３ないし５のいずれか１項に記載の画像読み取り装置において、
前記検知手段は、前記各々のビットの状態の変化に基づいて前記光源の異常、正常を判定することを特徴とする画像読み取り装置。
【請求項７】
請求項１又は２に記載の画像読み取り装置において、
前記検知手段は、前記光量の変化から前記光源の異常、正常を判定することを特徴とする画像読み取り装置。
【請求項８】
請求項６又は７に記載の画像読み取り装置において、
前記光源の異常、正常の判定情報を前記出力データの最下位ビットに付加することを特徴とする画像読み取り装置。
【請求項９】
請求項６又は７に記載の画像読み取り装置において、
前記検知手段による前記光源の異常、正常の判定を行うか否かを選択する選択手段を備えていることを特徴とする画像読み取り装置。
【請求項１０】
請求項１ないし９のいずれか１項に記載の画像読み取り装置において、
前記検知手段を複数備え、そのうちの少なくとも１つの検知手段を任意に選択する選択手段を備えていることを特徴とする画像読み取り装置。
【請求項１１】
請求項１ないし１０のいずれか１項に記載の画像読み取り装置において、
前記検知手段の検知結果に応じて前記アナログ処理手段及び前記Ａ／Ｄ変換手段の少なくとも一方の動作を変更することを特徴とする画像読み取り装置。
【請求項１２】
請求項１ないし１１のいずれか１項に記載の画像読み取り装置と、
前記画像読み取り装置からのディジタル画像データに基づいて作像データを作成するための画像処理を行う画像処理手段と、
を備えていることを特徴とする画像処理装置。
【請求項１３】
請求項１２記載の画像処理装置を備えていることを特徴とする画像形成装置。
【請求項１４】
読み取り光学系により読み取られ、光電変換素子によって取得された原稿のアナログ画像データを処理するアナログ処理手段と、
前記アナログ処理手段によって処理されたアナログ画像データをディジタル画像データに変換するＡ／Ｄ変換手段と、
を備えた画像読み取り装置の光源状態検知方法において、
前記原稿の余白部分又は前記原稿の読み取り前に読み取られる基準白板の読み取り時における読み取り対象の画素について前記Ａ／Ｄ変換手段によってディジタル画像データを取得し、
取得したディジタル画像データのビットの状態から前記原稿を照明する光源の光量の変化又は光源の異常を検知すること
を特徴とする画像読み取り装置の光源状態検知方法。
【請求項１５】
読み取り光学系により読み取られ、光電変換素子によって取得された原稿のアナログ画像データを処理するアナログ処理手段と、
前記アナログ処理手段によって処理されたアナログ画像データをディジタル画像データに変換するＡ／Ｄ変換手段と、
を備えた画像読み取り装置の光源状態検知方法をコンピュータで実行するためのコンピュータプログラムにおいて、
前記原稿の余白部分又は前記原稿の読み取り前に読み取られる基準白板の読み取り時における読み取り対象の画素について前記Ａ／Ｄ変換手段によってディジタル画像データを取得する手順と、
取得したディジタル画像データのビットの状態から前記原稿を照明する光源の光量の変化又は光源の異常を検知する手順と
を備えていることを特徴とするコンピュータプログラム。
【発明の詳細な説明】
【技術分野】
【０００１】
本発明は、ディジタル画像データに補正を行う画像処理装置等に関し、特に読み取り画像信号をディジタル信号に変換し画像処理を施す画像読み取り装置に関する。
【背景技術】
【０００２】
原稿をディジタル画像データとして取り込む画像取り込み手段がある。これはリニアＣＣＤにより被写体からの反射光あるいは散乱光を光電変換することによってアナログ情報信号を得る所謂画像読み取り手段であり、このような手段では、画素毎にサンプリングし、Ａ／Ｄ変換することによりディジタル画像データとして処理することが可能となる。ＣＣＤによって得られる原稿の線情報は、キャリッジの走査あるいは自動給紙手段によって原稿を搬送することによって面情報としてデータを取得することができ、ページ情報として処理することができる。
【０００３】
このような処理を行う画像処理装置として、例えば特許文献１に記載された発明が公知である。この発明は、白基準読み取り部位の白基準画像を読み取り、ラインセンサからの出力データに基づいて白基準データとして記憶するためのフレームメモリを備え、さらに、そこで記憶された白基準データを原稿の画像を読み取る際に、基準データとして使用し、取り込んだ白基準データ中の著しいレベル変動領域を検知するシェーディング補正処理部を備え、白基準変動領域データを白基準データとして使用しないことにより、正しくシェーディング補正を行うことを特徴とするものである。
【特許文献１】特開２００６−１２９３１４号公報
【発明の開示】
【発明が解決しようとする課題】
【０００４】
このような画像処理装置では、画像の読み取りが必須であり、画像読み取りの際には、前述のように反射光あるいは散乱光を光電変換するので光源となるランプ点灯が長時間に渡ると、光量が低下してくることから、読み取りレベルの低下及びシェーディング補正後データの階調低下につながるという問題がある。
【０００５】
従来、画像処理時にランプ光量の低下を補償するため増幅率を変更するか否かを判定するようにした技術もあるが、処理手順として「読み取り部」→「画像処理部」→「コントローラ」の順に情報を転送し、その後、前記判定を行い、判定結果に基づいて動作の切り替え等を行うことから、動作反映までに時間を要することになる。また、画像データを取り込むための外部メモリ等を付加する必要があるので、大幅なコストアップは避けられない。
【０００６】
そこで、本発明が解決しようとする課題は、データ取得後短時間で、かつ複雑な処理を必要とすることなく光源の光量の変化もしくは異常を検知することにある。
【課題を解決するための手段】
【０００７】
前記課題を解決するため、第１の手段は、読み取り光学系により読み取られ、光電変換素子によって取得された原稿のアナログ画像データを処理するアナログ処理手段と、前記アナログ処理回路によって処理されたアナログ画像データをディジタル画像データに変換するＡ／Ｄ変換手段とを備えた画像読み取り装置において、前記原稿の余白部分読み取り時における読み取り対象の画素の前記Ａ／Ｄ変換手段からの出力データに基づいて前記原稿を照明する光源の光量の変化を検知する検知手段を備えていることを特徴とする。
【０００８】
第２の手段は、読み取り光学系により読み取られ、光電変換素子によって取得された原稿のアナログ画像データを処理するアナログ処理手段と、前記アナログ処理回路によって処理されたアナログ画像データをディジタル画像データに変換するＡ／Ｄ変換手段とを備えた画像読み取り装置において、前記原稿の読み取り前に読み取られる基準白板読み取り時における読み取り対象の画素の前記Ａ／Ｄ変換手段からの出力データに基づいて前記原稿を照明する光源の光量の変化を検知する検知手段を備えていることを特徴とする。
【０００９】
第３の手段は、第１又は第２の手段において、前記出力データが最上位ビットの状態であることを特徴とする。
【００１０】
第４の手段は、第１又は第２の手段において、前記出力データが複数ビットの状態の組み合わせであることを特徴とする。
【００１１】
第５の手段は、第１又は第２の手段において、前記出力データが複数ライン読み取り時のビットの状態であることを特徴とする。
【００１２】
第６の手段は、第３ないし第５のいずれかの手段において、前記検知手段は前記各々のビットの状態の変化に基づいて前記光源の異常、正常を判定することを特徴とする。
【００１３】
第７の手段は、第１又は第２の手段において、前記検知手段は、前記光量の変化から前記光源の異常／正常を判定することを特徴とする。
【００１４】
第８の手段は、第６又は第７の手段において、前記光源の異常、正常の判定情報を前記出力データの最下位ビットに付加することを特徴とする。
【００１５】
第９の手段は、第６又は第７の手段において、前記検知手段による前記光源の異常、正常の判定を行うか否かを選択する選択手段を備えていることを特徴とする。
【００１６】
第１０の手段は、第１ないし第９のいずれかの手段において、前記検知手段を複数備え、そのうちの少なくとも１つの検知手段を任意に選択する選択手段を備えていることを特徴とする。
【００１７】
第１１の手段は、第１ないし第１０のいずれかの手段において、前記検知手段の検知結果に応じて前記アナログ処理手段及び前記Ａ／Ｄ変換手段の少なくとも一方の動作を変更することを特徴とする。
【００１８】
第１２の手段は、第１ないし第１１のいずれかの手段に係る画像読み取り装置と、前記画像読み取り装置からのディジタル画像データに基づいて作像データを作成するための画像処理を行う画像処理手段とを画像処理装置が備えていることを特徴とする。
【００１９】
第１３の手段は、第１２の手段に係る画像処理装置を画像形成装置が備えていることを特徴とする。
【００２０】
第１４の手段は、読み取り光学系により読み取られ、光電変換素子によって取得された原稿のアナログ画像データを処理するアナログ処理手段と、前記アナログ処理回路によって処理されたアナログ画像データをディジタル画像データに変換するＡ／Ｄ変換手段とを備えた画像読み取り装置の光源状態検知方法において、前記原稿の余白部分又は前記原稿の読み取り前に読み取られる基準白板の読み取り時における読み取り対象の画素について前記Ａ／Ｄ変換手段によってディジタル画像データを取得し、取得したディジタル画像データのビットの状態から前記原稿を照明する光源の光量の変化又は光源の異常を検知することを特徴とする。
【００２１】
第１５の手段は、読み取り光学系により読み取られ、光電変換素子によって取得された原稿のアナログ画像データを処理するアナログ処理手段と、前記アナログ処理回路によって処理されたアナログ画像データをディジタル画像データに変換するＡ／Ｄ変換手段とを備えた画像読み取り装置の光源状態検知方法をコンピュータで実行するためのコンピュータプログラムにおいて、前記原稿の余白部分又は前記原稿の読み取り前に読み取られる基準白板の読み取り時における読み取り対象の画素について前記Ａ／Ｄ変換手段によってディジタル画像データを取得する手順と、取得したディジタル画像データのビットの状態から前記原稿を照明する光源の光量の変化又は光源の異常を検知する手順とを備えていることを特徴とする。
【００２２】
なお、後述の実施形態では、読み取り光学系は光源２、第１ないし第３ミラー３，４，５、第１及び第２キャリッジ６，７、結像レンズユニット８、及びＣＣＤ９，１９に、光電変換素子はＣＣＤ９，１９に、アナログ処理手段はアナログ処理回路部２０に、Ａ／Ｄ変換手段はＡ／Ｄ変換回路部２１に、基準白板は符号１３に、光源は符号２に、検知手段は最上位ビットＤ９の判定信号２４、演算部２５からの判定信号２４に、ビットの状態はビットが「０」か「１」という状態に、異常、正常の判定を行うか否かを選択する選択手段はスイッチ２７に、少なくとも１つの検知手段を任意に選択する選択手段はセレクタ２８に、画像読み取り装置はＳＣに、画像処理装置は符号３０に、画像形成装置はディジタル複写機１００に、それぞれ対応する。
【発明の効果】
【００２３】
本発明によれば、Ａ／Ｄ変換手段の出力データに基づいて判断するので、データ取得後短時間で、かつ複雑な処理を必要とすることなく光源の光量の変化もしくは異常を検知することができる。
【発明を実施するための最良の形態】
【００２４】
以下、本発明の実施形態について、図面を参照して説明する。なお、以下の説明において、同等な各部には同一の参照符号を付し、重複する説明は省略する。
【００２５】
図１は、本発明の実施形態に係る画像読み取り装置の概略構成を示す図である。この画像読み取り装置は、ディジタル複写機でのスキャナ装置に対応し、原稿画像をＣＣＤで読み取り、画像信号をディジタル信号に変換して処理する装置である。
【００２６】
図１において、画像読み取り装置ＳＣは、原稿を載置するコンタクトガラス１と、原稿露光用の光源としてのキセノンランプ２及び第１ミラー３を搭載した第１キャリッジ６と、第２ミラー４及び第３ミラー５を搭載した第２キャリッジ７と、前記第１ないし第３ミラー３，４，５によって反射されてきた読み取り光が入射する結像レンズユニット８と、この結像レンズユニット８を通った読み取り光が結像する結像面を有するＣＣＤリニアイメージセンサ９  （以後ＣＣＤ）と、ＣＣＤ９を搭載した画像処理基板１０と、読み取り光学系等による各種の歪みを補正するための白基準板１３とを備えている。
【００２７】
画像読み取り装置ＳＣは、原稿走査時、第１キャリッジ６は図示しないステッピングモータによって副走査方向（矢印Ａ方向）に、第２キャリッジは第１キャリッジ６の１／２の速度で同じく副走査方向（矢印Ａ方向）に移動する。また、シートスルーによる原稿読み取りは、第１キャリッジ６及び第２キャリッジ７がシートスルー読み取り用スリット１５の下へ移動し、移動完了後、原稿自動送り装置１４に設置された原稿１２をローラ１６によって矢印Ｂ方向へガイドし、シートスルー読み取り用スリット１５の位置で読み取る。また、図２の読み取り回路１８を示すブロック図、及び図３の要部の回路構成を示すブロック図から分かるように、ＣＣＤ１９によって光電変換されたアナログ画像データは、アナログ処理回路部２０へ出力される。アナログ処理回路部２０では、アナログ画像データに対してサンプルホールド処理、黒レベル補正などの各種画像処理を施したのち、Ａ／Ｄ変換回路部２１へ出力する。Ａ／Ｄ変換回路部２１では、入力されたアナログ画像データをディジタル画像データに変換し、さらにＬＶＤＳ（Low Voltage Differential Signaling）インターフェイス２２を介して後段（画像処理回路部等）へ出力する。画像読み取り装置（スキャナ装置）ＳＣ内のＣＣＤ１９、アナログ処理回路部２０、Ａ／Ｄ変換回路部２１、ステッピングモータ及びキセノンランプ（ともに未記載）の各種タイミングクロックは、発振器１７からのタイミング信号に基づいてタイミングクロック生成回路部２３において生成され、前記各部に供給される。
【００２８】
このような構成の画像読み取り装置ＳＣにおいては、シートスルー読み取り時は、原稿が次々と送られてくるため、設置された原稿全てを読み取り終えるまでランプ２が点灯し続けることが多い。また、その場合、ランプ２には温度上昇に伴う光量低下が生じる。これにより、原稿読み取りレベルの低下、及び基準画像のレベル低下に伴う階調低下に繋がることがある。そこで、本実施形態では、基準白板１３あるいは原稿余白部分の読み取り時データ（ディジタルデータ）の特定のビットの状態により、周辺デバイスの状態あるいは動作を変更するようにした。これにより、簡素な構成で、光量低下検知を行うこと、及び判定結果を通知することが可能となる。
【００２９】
図３の回路構成では、Ａ／Ｄ変換器２１から出力されるＤ０からＤ９の１０ビットの読み取りデータのうち最上位ビット（Ｄ９）の状態により、読み取り信号の増幅率を変更するようにしている。地肌が白の原稿の余白部分（先端、両端、後端部分）あるいは基準白板１３の読み取り時において、画像データとしては比較的高めのレベルとなることが予想される。そのため、Ａ／Ｄ変換器２１出力の最上位ビット（Ｄ９）の状態としては「１」となることが多いと考えられる。そこで、この信号を動作切り替え信号として用いる。この場合、「０」と「１」に対応した動作を予め設定しておき、「１」の間は通常状態、「０」の場合には異常状態と判定し、アナログ処理回路部２５での信号増幅率の切り替えなどを行う。したがって、ここでは動作の変更はアナログ処理回路部２５での信号増幅率の切り替えに対応する。また、点線で示すように、この判定信号２４をＣＣＤ１９、Ａ／Ｄ変換器２１などその他のデバイスで使用することも可能である。これにより、各判定状態に応じて各部の状態を変更し、あるいは各部の動作を制御することが可能となる。また、前記各部の状態については図示しない操作部の操作パネルに表示することもできる。なお、Ａ／Ｄ変換器２１における動作の切り替えとしては、例えばＡ／Ｄ変換する閾値の変更がこれに対応する。
【００３０】
なお、前記異常状態を判定する必要がない場合もある。このような場合には、判定信号２４がアナログ処理回路部２０に入力しないように設定すればよい。図４はこのように異常状態を判定し、制御に反映させるか否かを選択することが可能な構成の一例を示す図である。この例では、最上位ビット（Ｄ９）の状態を示す判定信号２４のアナログ処理回路部２０への入力回路にスイッチ２７を設けている。スイッチ２７は、画像読み取り装置又は後述の画像形成装置の図示しない操作部の操作パネルから異常判定を行うか否かを選択した際に、その選択に応じてオン、オフされる。すなわち、異常判定を行わない場合にはオフの状態に、異常判定を行う場合にはオンの状態となる。
【００３１】
図５は、図３において判定信号２４として使用したビットを増やし、精度を高めたものである。この場合、演算部２５では各ビット状態（「０」／「１」）のＯＲ、ＡＮＤ、ＸＯＲ等の演算の他に、任意のビットを特定のデバイスに割り当てる等の信号セレクタとして使用することもできる。
【００３２】
図６は、演算部２５の前段にセレクタ２８を設け、演算部２５に入力されるビットを、任意の１つあるいは複数を選択できるようにしたものである。これによりユーザの異常検知処理の選択範囲を広げることができる。セレクタ２８によるビットの選択は、例えばサービスマンによる演算部２５の設定変更により可能である。
【００３３】
図５及び図６の例では、基準白板、あるいは原稿の余白部分の白読み時データの各ビットの「０」、「１」の組み合わせで光源の光量変化、光源の異常の有無を判断することができる。
【００３４】
前記異常判定は複数ラインの読み取り時のＡ／Ｄ変換回路部２１から出力される各ビットの出力状態（１／０の変化）により検知することもできる。あるいは、読み取り時の各々のビットの出力状態の変化（１／０の変化）により異常を検知することもできる。
【００３５】
図７は、図３において使用した判定信号（最上位ビット情報）２４を外部へ伝送する際、これを最下位ビットへ割り当てた例であり、これにより、新たな伝送手段及び信号出力用端子を追加する必要がない。読み取った画像データとしては最下位ビット分の情報が失われることになるが、データが８ビットの際には１／２５５、１０ビット時で１／１０２３程度であり、影響度としては問題ないレベルである。図では最上位ビットのみを用いているが、図４に示したような複数ビットから得られる判定信号を埋め込むこともできる。
【００３６】
以上のように、本実施形態ではＡ／Ｄ変換器２１でＡ／Ｄ変換した直後の信号を直接用いており、これらを外部へ伝送する前に検知することが可能であることから、より高速、簡素に処理することができる。
【００３７】
図８は画像読み取り装置からの画像データを処理する画像処理装置の例を示すブロック図である。画像読み取り装置は、図２の読み取り回路１８を基本とし、図５に示した演算部２５により判定信号を使用したものである。図８において、ＣＣＤ１９で読み取られ、光電変換されたアナログ画像データはアナログ処理回路部２０へ入力される。アナログ処理回路部２０では、アナログ画像データに対して前述のようにサンプルホールド処理、黒レベル補正等の処理を行った後、Ａ／Ｄ変換回路部２１へ出力する。ここでｎビット（ｎ：整数）のディジタル画像データへ変換し、ＬＶＤＳインターフェイス２２へ出力する。このデータのうち、任意のビットについては前述の図５の例について説明したように演算部２５へも入力され、判定信号２４を生成する。図８では、アナログ処理回路部２０、Ａ／Ｄ変換回路部２１、演算部２５、及びＬＶＤＳインターフェイス２２をワンチップ（１ｃｈｉｐ）内に搭載したＡＳＩＣ２６としている。このようにＡＳＩＣ化することにより、より省スペース化を図ることができ、低コスト化が可能となる。
【００３８】
ディジタル画像データは、ＬＶＤＳインターフェイス２２から画像処理装置３０側のＬＶＤＳインターフェイス３１を介して後段の画像処理部３２へ出力され、画像処理部３２でシェーディング補正やγ補正などの作像データ作成のための画像処理が施される。画像読み取り装置ＳＣのＣＣＤ１９、アナログ処理回路部２０、Ａ／Ｄ変換回路部２１、及びＬＶＤＳインターフェイス２２の各種タイミングクロックは、前述のようにタイミングクロック生成部２３において生成され、供給される。
【００３９】
図９は図１ないし図７に示した画像読み取り装置ＳＣを画像形成装置の読み取り装置に適用したときの画像形成装置の構成の一例を示す図である。図９における画像形成装置は、モノクロのディジタル複写機１００である。このディジタル複写機１００は、上部から自動原稿送り装置ＡＤＦ、画像読み取り装置ＳＣ、光書き込みユニットＬＵ、作像ユニットＰＲ、給紙装置ＰＳの各部から構成されている。
【００４０】
画像読み取り装置ＳＣの上面にはコンタクトガラス１が設けられている。また、自動原稿送り装置ＡＤＦはコンタクトガラス１を開閉するように複写機１００に図示しないヒンジ等を介して連結されている。この自動原稿送り装置ＡＤＦは、複数の原稿からなる原稿束を載置可能な原稿載置台としての原稿トレイ２０２と、原稿トレイ２０２に載置された原稿束から原稿を１枚ずつ分離してコンタクトガラス１に向かって搬送する分離搬送手段と、分離搬送手段によってコンタクトガラス１に向かって搬送された原稿をコンタクトガラス１上の読取位置に搬送・停止させるとともに、コンタクトガラス１の下方に配設された読み取り装置ＳＣにより読み取りが終了した原稿をコンタクトガラス１から搬出する。読み取り装置ＳＣは図１に示した通りである。ただし、シートスルー読み取りの機構は省略している。なお、この場合、画像読み取り装置ＳＣは図８に示した画像処理装置として画像形成装置に設けられている。
【００４１】
給紙モータは図示しないコントローラからの出力信号によって駆動されるようになっており、コントローラは複写機１００から給紙スタート信号が入力されると、給紙モータを正逆転駆動するようになっている。給紙モータが正転駆動されると、給送ローラ２０３が時計方向に回転して原稿束から最上位に位置する原稿が給紙され、コンタクトガラス１に向かって搬送される。この原稿の先端が原稿セット検知センサ２０７によって検知されると、コントローラは原稿セット検知センサ２０７からの出力信号に基づいて給紙モータを逆転駆動させる。これにより、後続する原稿が進入するのを防止して重送されないようになっている。  
また、コントローラは原稿セット検知センサ２０７が原稿の後端を検知したとき、この検知時点からの搬送ベルトモータの回転パルスを計数し、回転パルスが所定値に達したときに、給送ベルト２０４の駆動を停止して給送ベルト２０４を停止することにより、原稿をコンタクトガラス１の読み取り位置に停止させる。また、コントローラは原稿セット検知センサ２０７によって原稿の後端が検知された時点で、給紙モータを再び駆動し、後続する原稿を上述したように分離してコンタクトガラス１に向かって搬送し、この原稿が原稿セット検知センサ２０７によって検知された時点からの給紙モータのパルスが所定パルスに到達したときに、給紙モータを停止させて次原稿を先出し待機させる。そして、原稿がコンタクトガラス１の読み取り位置に停止したとき、複写機１００によって原稿の読み取り及び露光が行われる。この読み取り及び露光が終了すると、コントローラには複写機１００から信号が入力され、搬送ベルトモータを正転駆動して、搬送ベルト２０４によって原稿をコンタクトガラス１から排送ローラ２０５側に搬出する。  
光書き込みユニットＬＵは、レーザ光を出射する半導体レーザとポリゴンミラーを含むレーザ走査部２５８と、ｆθレンズを含むレーザ結像系２５９と、反射ミラー２５０を備え、画像読み取り装置ＳＣで読み取った原稿の読み取り情報に基づいて半導体レーザを変調し、感光体ドラム２１５に対して光書き込みを行う。
【００４２】
給紙装置ＰＳは第１トレイ２０８、第２トレイ２０９及び第３トレイ２１０を備え、各トレイ２０８，２０９，２１０に積載された転写紙は、各々第１給紙ユニット２１１、第２給紙ユニット２１２、第３給紙ユニット２１３によって給紙され、縦搬送ユニット２１４によって感光体２１５に当接する位置まで搬送される。読み取りユニットＳＣにて読み込まれた画像データは、書き込みユニットＬＵからのレーザによって感光体２１５に書き込まれ、現像ユニット２２７を通過することによってトナー像が形成される。そして、転写紙は感光体２１５の回転と等速で搬送ベルト２１６によって搬送されながら、感光体２１５上のトナー像が転写される。その後、定着ユニット２１７にて画像を定着させ、排紙ユニット２１８に搬送される。排紙ユニット２１８に搬送された転写紙は、両面モードにより転写紙の裏面に画像を形成しない場合には、そのまま排紙トレイ２１９に排紙される。
【００４３】
転写紙の裏面にも画像を形成する両面モードの場合は、定着ユニット２１７から排紙ユニット２１８の反転搬送路１１３を経て、反転トレイ１１２に導き、再給紙路１１１から再び縦搬送ユニット２１４を経て作像ユニットＰＲ側に搬送し、同様の作像動作を経て排紙ユニット２１９に排紙する。転写紙を反転させた状態で排紙する場合には、反転トレイ１１２から反転排紙路１１４を経て排紙トレイ２１９に排紙する。
【００４４】
このようにして画像読み取り装置ＳＣで読み取った画像情報を転写紙上に可視画像として出力することができる。
【００４５】
以上のように本実施形態によれば、
１）Ａ／Ｄ変換手段から出力される白読み時データの「０」、「１」の組み合わせのみを判断基準としているため、データ取得後短時間で、かつ複雑な構成及び処理を必要とすることなく光量の変化もしくは異常を検知することが可能となる。  
２）従来確保している情報領域（最下位ビット）に光量の異常検知情報を埋め込むため、その情報を外部に伝送する際に、新たな伝送手段あるいは情報領域を追加することなく、伝送することができる。  
３）異常検知の有無を切り替え可能あるいは複数の機能から任意に選択できるので、ユーザの自由度を広げることができる。  
４）光源光量の変化あるいは異常を周辺の回路部へ通知し、動作を制御するので、常に状況に応じた最適な動作が可能となる。  
５）既存のデバイスが光源光量の変化あるいは異常を検知する機能を有するので、機能追加による占有スペース及びコストの増加を抑えることができる。  
等の効果を奏する。
【００４６】
なお、本発明は本実施形態に限定されるものではなく、特許請求の範囲に記載された技術思想に含まれる技術的事項の全てが対象となる。
【図面の簡単な説明】
【００４７】
【図１】本発明の実施形態に係る画像読み取り装置の概略構成を示す図である。
【図２】読み取り回路の構成を示すブロック図である。
【図３】図２の読み取り回路の要部の詳細を示すブロック図である。
【図４】図３の回路構成に対して異常判定を制御に反映させるか否かを選択する選択手段を備えた読み取り回路を示すブロック図である。
【図５】図３の回路構成に対して異常判定を制御に反映させるか否かを複数ビットの演算結果から選択する読み取り回路を示すブロック図である。
【図６】図３の回路構成に対して異常判定を制御に反映させるか否かを複数ビットの組み合わせから選択する読み取り回路を示すブロック図である。
【図７】図３の回路構成に対して判定信号を最下位ビットへ割り当てて外部伝送する読み取り回路を示すブロック図である。
【図８】本実施形態に係る画像読み取り装置を備えた画像処理装置の構成を示すブロック図である。
【図９】本実施形態に係る画像読み取り装置を備えた画像形成装置の構成を示すブロック図である。
【符号の説明】
【００４８】
１  コンタクトガラス
２  光源
３，４，５  ミラー
６，７  キャリッジ
８  結像レンズユニット
９，１９  ＣＣＤ
１３  基準白板
２０  アナログ処理回路部
２１  Ａ／Ｄ変換回路部
２４  判定信号
２５  演算部
２７  スイッチ
２８  セレクタ
３０  画像処理部
３２  画像処理部
１００  ディジタル複写機
ＳＣ  画像読み取り装置
【図１】
2010011308.tif 000003
【図２】
2010011308.tif 000004
【図３】
2010011308.tif 000005
【図４】
2010011308.tif 000006
【図５】
2010011308.tif 000007
【図６】
2010011308.tif 000008
【図７】
2010011308.tif 000009
【図８】
2010011308.tif 000010
【図９】
2010011308.tif 000011